(57)【要約】      （修正有）【課題】仕様の異なる各種の液体容器を収納して、脱落等の生じる事が少なく、安定的に使用することを可能とするポケットを備えた衣服を提供する。【解決手段】吐出機構２を設けた液体容器１を収納するポケット６を備えた衣服５に於いて、このポケット６の開口縁を上部から下部方向に傾斜させ、このポケット６に液体容器１を収納した状態で吐出機構２が上方に突出する寸法とする。また、ポケット６に収納した液体容器１の側面下方に臨ませて液体容器１の掛止部材８を配置し、この掛止部材８の端部を衣服５とポケット６の開口縁とに接続して形成する。【選択図】図１
0003183934.tif 000002
【実用新案登録請求の範囲】
【請求項１】
吐出機構を設けた液体容器を収納するポケットを備えた衣服に於いて、このポケットの開口縁を上部から下部方向に傾斜させ、このポケットに液体容器を収納した状態で吐出機構が上方に突出する寸法とするとともにポケットに収納した液体容器の側面下方に臨ませて液体容器の掛止部材を配置し、この掛止部材の端部を衣服とポケットの開口縁とに接続して形成したことを特徴とする液体容器のポケットを備えた衣服。
【請求項２】
液体容器は上端に肩部を形成したことを特徴とする請求項１に記載の液体容器のポケットを備えた衣服。
【請求項３】
液体容器は透明又は半透明もしくは一部を透明又は半透明としたことを特徴とする請求項１に記載の液体容器のポケットを備えた衣服。
【請求項４】
液体容器の透明または半透明部分の少なくとも一部は傾斜した開口縁から外方に露出していることを特徴とする請求項３に記載の液体容器のポケットを備えた衣服。
【請求項５】
液体容器は、消毒液又は液体石けんを充填したものであることを特徴とする請求項１、２、３、又は４に記載の液体容器のポケットを備えた衣服。
【請求項６】
ポケットの開口縁の上部から下部方向への傾斜は、ポケットに液体容器を装着した状態で、液体容器内の液体を少なくとも一部が外部から確認し得るように形成したことを特徴とする請求項１に記載の液体容器のポケットを備えた衣服。
【請求項７】
掛止部材のポケットと衣服への接続は、その一方または双方を着脱可能としたことを特徴とする請求項１に記載の液体容器のポケットを備えた衣服。
【請求項８】
掛止部材は伸縮可能な素材にて形成したことを請求項１又は７に記載の液体容器のポケットを備えた衣服。
【請求項９】
ポケットは、衣服の後身頃側に形成したことを特徴とする請求項１に記載の液体容器のポケットを備えた衣服。
【請求項１０】
衣服は、ワンピースであることを特徴とする請求項１または９に記載の液体容器のポケットを備えた衣服。
【請求項１１】
衣服は、上着であることを特徴とする請求項１または９に記載の液体容器のポケットを備えた衣服。
【請求項１２】
衣服は、パンツであることを特徴とする請求項１または９に記載の液体容器のポケットを備えた衣服。
【請求項１３】
ポケットは、衣服の側面に形成したことを特徴とする請求項１、６、又は７に記載の液体容器のポケットを備えた衣服。
【考案の詳細な説明】
【技術分野】
【０００１】
本考案は、病院、介護施設、飲食業、食品製造施設等の良好な衛生環境を保つ必要のある施設で作業に従事する人々が着用する衣服に係るもので、これらの作業者が消毒液、液体石けん等を充填した液体容器をポケットに収納して、いつでも使用可能としたものである。
【背景技術】
【０００２】
従来より、病院、介護施設、飲食業、食品製造施設等では衛生環境を保つ必要性から、アルコール等の消毒薬や液体石けん等を充填した液体容器をポケットに常時収納して使用することが行われている。また、その使用性を向上する目的で特許文献１に示す如く、液体容器にブラケットを設けたものが知られている。このブラケットは、衣服のポケット内に挿入固定し液体容器を安定化して使用することができる利点を有している。
【先行技術文献】
【特許文献】
【０００３】
【特許文献１】ＵＳ２０１０／０１２２９９３Ａ１公報
【考案の開示】
【考案が解決しようとする課題】
【０００４】
しかしながら特許文献１に記載の衣服のポケットは、ブラケットが衣服のポケット内の寸法に合致したものである必要があり、また液体容器もブラケットに対応した設計の特殊なものを使用しなければならず、仕様の異なる液体容器に広く対応して使用できるものではない。
【０００５】
そこで、本考案は上述の如き課題を解決しようとするものであって、仕様の異なる各種の液体容器を収納して、脱落等の生じる事が少なく、安定的に使用することを可能とするポケットを備えた衣服を提供しようとするものである。
【課題を解決するための手段】
【０００６】
本考案は上述の如き課題を解決するため、吐出機構を設けた液体容器を収納するポケットを備えた衣服に於いて、このポケットの開口縁を上部から下部方向に傾斜させ、このポケットに液体容器を収納した状態で吐出機構が上方に突出する寸法とするとともにポケットに収納した液体容器の側面下方に臨ませて液体容器の掛止部材を配置し、この掛止部材の端部を衣服とポケットの開口縁とに接続して形成してなるものである。
【０００７】
また、液体容器は上端に肩部を形成したものであっても良い。液体容器が上端に肩部を形成したものであれば、掛止部材が液体容器の肩部の上面に接触して、液体容器を更に安定的にポケット内に収納することが可能となる。
【０００８】
また、液体容器は透明又は半透明もしくは一部を透明又は半透明としたものであっても良い。液体容器を透明又は半透明もしくは一部を透明又は半透明としたものとすれば、液体容器を外部から見ることにより、液体の残量を知ることが可能となり、不用意な液体切れを生じる事がない。
【０００９】
また、液体容器の透明または半透明部分の少なくとも一部は傾斜した開口縁から外方に露出したものであっても良い。
【００１０】
また、液体容器は消毒液又は液体石けんを充填したものであっても良い。液体容器に消毒液を充填したものとすれば、医療関係者、食品取扱者等が必要に応じていつでも手指を殺菌消毒することが可能となる。
【００１１】
また、ポケットの開口縁の上部から下部方向への傾斜は、ポケットに液体容器を装着した状態で、液体容器内の液体を少なくとも一部が外部から確認し得るように形成したものであっても良い。
【００１２】
また、掛止部材のポケットと衣服への接続は、その一方または双方を着脱可能としたものであっても良い。掛止部材の一方または双方を着脱可能とすれば、掛止部材の少なくとも一方をポケット又は衣服から取り外して液体容器をポケットに挿入すれば、掛止部材に妨げられることなく液体容器の挿入が容易となり、液体充填後のポケットへの挿入等に於いて容易な作業を可能とする。
【００１３】
また、掛止部材は伸縮可能な素材にて形成したものであっても良い。掛止部材を伸縮可能な素材にて形成すれば、掛止部材を伸縮しながら液体容器をポケットに挿入したり、取り出したりできるから、挿入、取り出しの作業性が良いものとなるとともに、液体容器をポケットに締め付け固定できるから、液体容器の脱落を発生しにくいものとなる。
【００１４】
また、ポケットは、衣服の後身頃側に形成したものであっても良い。ポケットを衣服の後身頃側に形成することによって、主に衣服の前面即ち前身頃側で行われることが多い各種作業の邪魔に成ることがない。
【００１５】
また、衣服は、ワンピースであっても良い。
【００１６】
また、衣服は、上着であっても良い。
【００１７】
また、衣服は、パンツであっても良い。
【００１８】
また、ポケットは、衣服の側面に形成したものであっても良い。ポケットを衣服の側面に形成することにより、液体容器の出し入れが容易となる。特にポケットをパンツの側面に形成することにより、上着やワンピースに形成した場合に比較し、衣服の着用者に対する液体容器の重量負荷の感覚が軽いものとなるとともに着用者の作業を妨げることも少ないものである。
【考案の効果】
【００１９】
本考案は上述の如く構成したものであり、ポケットは液体容器を収納した状態で吐出機構が上方に突出する寸法とするから、液体容器をポケットに収納したまま内容液の吐出が可能となり、液体の迅速な使用が可能となる。また、吐出機構を設けた液体容器をポケットに収納すると、液体容器の側面下方に臨ませて液体容器の掛止部材が配置される。そして、この掛止部材は、端部を衣服とポケットの開口縁とに接続して形成したものであるから、ポケットに収納した液体容器を掛止部材でポケット内に挟持したり掛け止める事により、ポケット内に安定良く液体容器を収納することが可能となる。また、液体容器の直径がポケット内部の直径よりも相当程度細い場合も、掛止部材による保持が可能となるから、種々の直径の液体容器を安定的に収納することが可能となる。
【００２０】
また、ポケットの開口縁を上部から下部方向に傾斜させたものであるから、開口縁の傾斜部から露出する液体容器をポケットから取り出すことなく、使用者が手指で直接触れながら吐出作業を行うことができるから、液体の安定的な吐出を可能とする。
【図面の簡単な説明】
【００２１】
【図１】ポケットを上着の後身頃に設けた実施例１を示す平面図。
【図２】実施例１のポケット部分の一部切り欠き拡大図。
【図３】ポケットをワンピースの後身頃に設けた実施例を示す平面図。
【図４】ポケットをパンツの側面に設けた実施例を示す平面図。
【実施例１】
【００２２】
本考案の実施例１について説明すると、(１)はディスペンサー等の適宜の吐出機構(２)を備えた液体容器で、内部には消毒液、液体石鹸等の液体(３)を充填している。この液体容器(１)は上端に肩部(４)を形成するとともに透明又は半透明の素材により形成するか、一部を透明又は半透明の素材により形成している。この液体容器(１)は衣服(５)のポケット(６)に挿入して使用するものであるが、従来公知の市販の液体容器(１)を用いるものであっても良い。
【００２３】
また、上記のポケット(６)は図面に示す通り上端に設けた開口の開口縁(７)を上部から下部方向に傾斜させて傾斜縁としている。そして、このポケット(６)は、液体容器(１)を収納した状態で吐出機構(２)が上方に突出する寸法としている。そのため、使用者は消毒液、液体石鹸等の液体(３)を、液体容器(１)をポケット(６)から取り出すことなく抽出して迅速に使用することができる。
【００２４】
また、ポケット(６)は上端に設けた開口の開口縁(７)を上部から下部方向に傾斜させているから、開口縁(７)から露出する液体容器(１)をポケット(６)から取り出すことなく、使用者が手指で直接触れながら吐出作業を行うことができるから、液体の安定的な吐出を可能とする。また、開口縁(７)を上部から下部方向に傾斜させるから、ポケット(６)に液体容器(１)を装着した状態で、液体容器(１)内の液体(３)を少なくとも一部が外部から確認し得るように形成することが可能となる。そのため、液体容器(１)を透明又は半透明の素材により形成するか、一部を透明又は半透明の素材により形成することにより、傾斜した開口縁(７)から上方に露出する液体容器(１)を見ることにより、使用者は液体容器(１)をポケット(６)から取り出すことなく液体(３)の残量を知ることができ、不用意な液体(３)切れや液体(３)の補充忘れ等を生じる事がない。
【００２５】
また、ポケット(６)に収納した液体容器(１)の側面下方に臨ませて液体容器(１)の掛止部材(８)を配置し、この掛止部材(８)の端部を衣服(５)とポケット(６)の開口縁(７)とに接続している。そして、この接続は、その一方を図２に示す如く衣服(５)に縫着部(１０)により固定し、他方をポケット(６)外面の開口縁(７)にスナップボタン(１１)により取り外し可能に接続している。このように掛止部材(８)を設けることにより、ポケット(６)に収納した液体容器(１)を掛止部材(８)でポケット(６)内に挟持したり掛け止める事により、ポケット(６)内に安定良く液体容器(１)を収納することが可能となる。また、液体容器(１)が肩部(４)を形成したものであれば、この肩部(４)に掛止部材(８)が係合し易いものとなり液体容器(１)を更に安定的にポケット(６)内に保持することが可能となる。そして液体容器(１)の直径がポケット(６)内部の直径よりも相当程度細い場合も、掛止部材(８)による保持が可能となるから、種々の直径の液体容器(１)を安定的にポケット(６)に収納することが可能となる。
【００２６】
また、掛止部材(８)のポケット(６)と衣服(５)への接続を、その一方を着脱可能としているから、掛止部材(８)の少なくとも一方をポケット(６)又は衣服(５)から取り外して液体容器(１)をポケット(６)に挿入すれば、掛止部材(８)に妨げられることなく液体容器(１)の挿入が容易となり、液体(３)充填後のポケット(６)への挿入等に於いて容易な作業を可能とする。
【００２７】
また、掛止部材(８)を伸縮可能な素材にて形成すれば、掛止部材(８)を伸縮しながら液体容器(１)をポケット(６)に挿入したり、取り出したりできるから、挿入、取り出しの作業性が良いものとなるとともに、液体容器(１)をポケット(６)に締め付け固定できるから、液体容器(１)の脱落を発生しにくいものとする。
【００２８】
また、ポケット(６)は、衣服(５)に形成するが、この衣服(５)は図１に示す如く上着(１２)であっても、第３図に示す如くワンピース(１３)であっても、第４図に示す如くパンツ(１４)であってもよい。また、ポケット(６)は上着(１２)及びワンピース(１３)に於いては、後身頃で着用者のウエストラインからヒップラインの間隔に設けるのが好ましい。また、パンツ(１４)では、ヒップと膝の間に設けるのが好ましい。このようにポケット(６)を後身頃に形成することにより、主に衣服(５)の前面即ち前身頃側で行われることが多い各種作業の邪魔になることがない。
【００２９】
また、パンツ(１４)の側面に形成すれば、上着(１２)やワンピース(１３)に形成した場合に比較し、衣服(５)の着用者に対する液体容器(１)の重量負荷の感覚が軽いものとなるとともに着用者の作業を妨げることも少ないものである。またポケット(６)は、パンツ(１４)の側面のみならず、上着(１２)やワンピース(１３)の側面に形成することも可能である。
【符号の説明】
【００３０】
１  液体容器
２  吐出機構
３  液体
４  肩部
５  衣服
６  ポケット
７  開口縁
８  掛止部材
１２  上着
１３  ワンピース
１４  パンツ
【図１】
0003183934.tif 000003
【図２】
0003183934.tif 000004
【図３】
0003183934.tif 000005
【図４】
0003183934.tif 000006